(57)【要約】【課題】本発明は、デザインの中で指定した色を参照色票と同時に撮影し色見本帳の色に置き換えることで、印刷発注者やデザイナーの色指定作業の際に色見本帳の現物を携帯することなく、また専用の測定機器を用いず、指定色に関する色情報を正確に取得するシステムを提供するものである。【解決手段】指定色（１３）を参照色票（１４）と同時に撮影機器（１２）で撮影する撮影部（１１）と、撮影手段により取得した３原色信号を参照色票データベース（２２）を用いて色彩値に変換する変換部（２１）と、変換部（２１）で得られた色彩値から見本帳データベース（３２）を用いて色見本帳の色を検索する検索部（３１）と、検索部（３１）で得られた結果を表示する表示部（４１）を備え、指定色の色情報を取得する【選択図】図３
2006352200.tif 000002
【特許請求の範囲】
【請求項１】
指定色を撮影する撮影手段と、
前記撮影手段で得られた撮影画像の３原色信号を色彩値に変換する変換手段と、
前記変換手段で得られた色彩値から色見本帳データベースの色を選択する選択手段と、
前記選択手段で得られた結果を表示する表示手段と、
を備えた指定色の色情報取得システムであって、
指定色は、色彩値が既知である１色以上の色票を配置した参照色票と同時に撮影され、
変換手段は、前記参照色票の色彩値あるいは３原色信号データを含む参照色票データベースを参照して、撮影された参照色票の色彩値あるいは３原色信号と、撮影された指定色の色彩値あるいは３原色信号とを基に、色彩値に変換する工程を含むものである、
指定色の色情報取得システム。
【請求項２】
参照色票データベースは、あらかじめ２つ以上の撮影条件で参照色票を撮影した色彩値データを含むことを特徴とする請求項１に記載した色情報取得システム。
【請求項３】
色見本帳データベースは、複数の色見本に関する色情報を格納した色見本帳のデータベースであって、色見本帳に含まれる色見本に対する色名称、色番号、XYZ、CIEL*a*b*色彩値、マンセル値、色材配合処方、CMYK値、RGB値の少なくとも１つを含むことを特徴とする請求項１または請求項２に記載した色情報取得システム。
【請求項４】
参照色票データベースの、それぞれの撮影条件での色変換パラメータが計算され、
変換手段は、撮影手段において指定色と同時に撮影した参照色票の３原色信号と、参照色票データベースにおける参照色票を撮影した３原色信号とを比較し、３原色信号が一番近い撮影条件を参照色票データベースから検索し、検索された撮影条件の色変換パラメータを使用して、撮影された指定色の３原色信号を色彩値に変換することを特徴とする請求項１から請求項３いずれかに記載した色情報取得システム。
【請求項５】
選択手段は、変換手段により変換された指定色の色彩値と色見本帳データベースの色彩値とを比較し、前記指定色の色彩値に最も近い色彩値を持つ色見本を色見本帳データベースから選択することを特徴とする請求項１から４いずれかに記載した色情報取得システム。
【請求項６】
表示手段は、選択手段により選択された色の色名称、色番号、XYZ、CIEL*a*b*色彩値、マンセル値、色材配合処方、CMYK値、RGB値の少なくとも１つを表示させることを特徴とする請求項１から５いずれかに記載した色情報取得システム。
【発明の詳細な説明】
【技術分野】
【０００１】
この発明は、印刷物作成やデザインの色指定において、指定色に関する色情報を取得するシステムに関する。
【背景技術】
【０００２】
カラー印刷物作成やカラーデザインにおいて、印刷発注者やデザイナーは、デザインの中で色を指定する。印刷発注者やデザイナーは、印刷物作成者に指定色に関する色情報を正確に伝達する必要がある。指定色に関する色情報を正確に伝達する方法として、市販の色見本帳を用いた色指定が行われている。印刷発注者やデザイナーは、指定色が決まると、指定色に最も近い色を市販の色見本帳の中から選択し、選択した色見本帳で規定された色名称、色彩値等の色情報を印刷物作成者に伝達する。印刷発注者やデザイナーが指定色を市販の色見本帳から選択する際、指定色と市販の色見本帳との色を目視により比較し、最も近い色を色見本帳から選択する方法が行われている。また、色彩計等の専用測定機器を用いていろ情報を取得する方法も行われている。
【特許文献１】特開平１１−３５２８９１号公報
【発明の開示】
【発明が解決しようとする課題】
【０００３】
しかしながら、上記の最も近い色を色見本帳から選択する方法は人間の感覚によるものであり、個人差により必ずしも指定色に最も近い色が色見本帳から選択されるとは限らない。また、この方法は市販の色見本帳が手元にあることが必須であり、色指定の際に色見本帳の現物を携帯しなければならない。また、色彩計等の専用測定機器を用いる方法においては、高価で携帯性に乏しい色彩計等の専用測定機器を用いなければならない。
上述の点に鑑み、本発明は、デザインの中で指定した色を参照色票と同時に撮影し色見本帳の色に置き換えることで、印刷発注者やデザイナーの色指定作業の際に色見本帳の現物を携帯することなく、また専用の測定機器を用いず、指定色に関する色情報を正確に取得するシステムを提供するものである。
【課題を解決するための手段】
【０００４】
本発明は、指定色を撮影する撮影手段と、
前記撮影手段で得られた撮影画像の３原色信号を色彩値に変換する変換手段と、
前記変換手段で得られた色彩値から色見本帳データベースの色を選択する選択手段と、
前記選択手段で得られた結果を表示する表示手段と、
を備えた指定色の色情報取得システムであって、
指定色は、色彩値が既知である１色以上の色票を配置した参照色票と同時に撮影され、
変換手段は、前記参照色票の色彩値あるいは３原色信号データを含む参照色票データベースを参照して、撮影された参照色票の色彩値あるいは３原色信号と、撮影された指定色の色彩値あるいは３原色信号とを基に、色彩値に変換する工程を含むものである、
指定色の色情報取得システムに関する。
【０００５】
また、本発明は、参照色票データベースは、あらかじめ２つ以上の撮影条件で参照色票を撮影した色彩値データを含むことを特徴とする上記色情報取得システムに関する。
【０００６】
また、本発明は、色見本帳データベースは、複数の色見本に関する色情報を格納した色見本帳のデータベースであって、色見本帳に含まれる色見本に対する色名称、色番号、XYZ、CIEL*a*b*色彩値、マンセル値、色材配合処方、CMYK値、RGB値の少なくとも１つを含むことを特徴とする上記色情報取得システムに関する。
【０００７】
また、本発明は、参照色票データベースの、それぞれの撮影条件での色変換パラメータが計算され、
変換手段は、撮影手段において指定色と同時に撮影した参照色票の３原色信号と、参照色票データベースにおける参照色票を撮影した３原色信号とを比較し、３原色信号が一番近い撮影条件を参照色票データベースから検索し、検索された撮影条件の色変換パラメータを使用して、撮影された指定色の３原色信号を色彩値に変換することを特徴とする上記色情報取得システムに関する。
【０００８】
また、本発明は、選択手段は、変換手段により変換された指定色の色彩値と色見本帳データベースの色彩値とを比較し、前記指定色の色彩値に最も近い色彩値を持つ色見本を色見本帳データベースから選択することを特徴とする上記色情報取得システムに関する。
【０００９】
また、本発明は、表示手段は、選択手段により選択された色の色名称、色番号、XYZ、CIEL*a*b*色彩値、マンセル値、色材配合処方、CMYK値、RGB値の少なくとも１つを表示させることを特徴とする上記色情報取得システムに関する。
【発明の効果】
【００１０】
本発明により、色指定の際に色見本帳の現物を携帯することなく、また専用の測定機器を要することなく、市販のデジタルカメラやカメラ付携帯電話を利用して、誰もが正確に指定色に関する色情報を取得することができる。
【発明を実施するための最良の形態】
【００１１】
以下、この発明の実施の形態について図面を参照して詳細に説明する。
図１は、本発明の構成を示した図である。本システムは、指定色（１３）を参照色票（１４）と同時に撮影機器（１２）で撮影する撮影部（１１）と、撮影手段により取得した３原色信号を参照色票データベース（２２）を用いて色彩値に変換する変換手段である変換部（２１）と、変換部（２１）で得られた色彩値から見本帳データベース（３２）を用いて色見本帳の色を検索する選択手段である検索部（３１）と、検索部（３１）で得られた結果を表示する表示手段である表示部（４１）を備えている。
撮影機器（１２）は、市販のデジタルカメラやカメラ付携帯電話など撮影画像のRGB３原色信号を得ることができる撮影機器で良い。
また、表示部（４１）としては、プリンタ、ディスプレイなどが例示できる。
【００１２】
図２は、参照色票の例および指定色との隣接撮影の例を示した図である。色票１（C1）から色票８（C8）はあらかじめ色彩値が既知の８色の色票である。参照色票中央は切り抜いておく（P１）。指定色（P０）の上に参照色票（C０）を置くことで、指定色（P１）と参照色票（C1〜C８）を隣接して撮影することが可能となる。参照色票に配置する色数や配置する色に特に制限は無く、色数を増やすことにより、高精度な色変換が可能となる。
参照色票の大きさ・形状は、撮影後にそれぞれを３原色信号に分解できる程度の領域があれば特に限定されない。
８色の組み合わせであれば、例えば、シアン、マゼンタ、イエロー、ブラック、レッド、グリーン、ブルー、ホワイトなどの組み合わせなどが例示できる。
【００１３】
参照色票データベース（２２）には、異なる撮影条件毎に撮影条件（２２１）、変換パラメータ（２２２）、参照色票各色票のRGB３原色信号（２２３）を格納しておく。撮影条件毎の変換パラメータ（２２２）はあらかじめ撮影条件毎に撮影して得られた参照色票のRGB３原色信号と参照色票の色彩値との関連から設定しておく。
２つ以上の撮影条件として、例えば、撮影機器、撮影モード、光源の条件をふって撮影することが挙げられる。
変換パラメータは、予め、計算されていても、使用する都度計算してもよい。計算結果は、参照色票データベースなどに格納されていてもよい。変換パラメータは、例えば、多項式近似法にて求めることができる。
【００１４】
色見本帳データベース（３２）には、色見本毎に色名称（３２１）、色番号（３２２）、色彩値（XYZ、CIEL*a*b*等）（３２３）、色材処方（３２４）、マンセル値（３２５）、CMYK（プロセス印刷におけるシアン、マゼンタ、イエロー、ブラックの網点パーセント）値（３２６）、RGB値（３２７）の少なくとも１つが格納されている。
【００１５】
図３は、本発明のフローを示した図である。本発明によるシステムは、指定色と参照色票を同時に撮影する（S１１）。次に撮影された画像データから、指定色部分および参照色票部分のRGB３原色信号を抽出する（S２１）。抽出した参照色票部分のRGB３原色信号と参照色票データベース（S３２）に格納されている撮影条件毎の参照色票RGB値とを比較し抽出した参照色票部分のRGB３原色信号に最も近いRGB３原色信号を持つ撮影条件を選択する（S３１）。次に選択した撮影条件に格納されている変換パラメータを用いて多項式近似法により指定色部分のRGB原色信号を色彩値に変換する（S４１）。
指定色のRGB３原色信号を、多項式近似法により色彩値（XYZ、CIEL*a*b*等）に変換する方法は、
例えば、（式１）を用い、
【００１６】
【数１】
2006352200.tif 000003
【００１７】
変数a、a'、a"、b、ｂ'、ｂ“、c、ｃ'、ｃ"、ｄ、ｄ'、ｄ"は、撮影条件毎に参照色票データベースに格納された変換パラメータである。本実施例では3変数１次の変換式を示しているが、3変数2次でも3次でも用いて良い。また、（式１）による変数を用意して計算する代わりに、撮影条件毎のＩＣＣ（インターナショナルカラーコソーシアム）準拠のプロファイルを用いても良い。
【００１８】
変換された指定色の色彩値と色見本帳データベースに格納されている色彩値を比較し色差が最も小さくなる色見本を選択することで指定色を色見本帳に置き換えた時の、色名称、色番号、マンセル値、色材処方、ｓRGB値、CMYK値を取得する（S５１）。
【００１９】
最後に取得した色情報を表示する（S６１）。表示する色情報は、色彩値、色見本帳データベースから選択した色名称、マンセル値、色材処方、ｓRGB値、CMYK値が可能である。更に表示手段において、指定色と選択された色見本帳との色の差を把握する目的で、変換手段にて得られた色彩値と色見本帳データベース（S５２）から選択した色の色彩値との色差で表示しても良い。
【００２０】
以上、本システムにより、色指定を行う印刷発注者やデザイナーは、色見本帳の現物を携帯することなく、誰もが正確に指定色に関する色情報を取得し、印刷物作成者に伝えることが可能となる。
【図面の簡単な説明】
【００２１】
【図１】本システムの構成図
【図２】本システムの参照色票と指定色との隣接撮影の例
【図３】本システムを実施するフローチャート
【図１】
2006352200.tif 000004
【図２】
2006352200.tif 000005
【図３】
2006352200.tif 000006